(57)【要約】【課題】本発明の目的は、信号光と参照光の干渉を利用して光情報記録媒体に記録された情報を再生するための参照光調整方法において、再生像の輝線部分の輝度むら等の影響を受けにくい、参照光の入射角度および光源の波長を素早く調整するための調整指標を提供し、参照光の角度及び参照光の波長を短時間で調整可能な光情報再生装置及び参照光調整方法を提供することである。【解決手段】信号光と参照光の干渉を利用して光情報記録媒体に記録された情報を再生するための参照光調整方法であって、参照光の波長を変更するステップと、光情報記録媒体に対し参照光角度を変更するステップと、光情報記録媒体からの再生像の輝度分布を検出するステップと、再生像の輝度分布の重心の分散を演算するステップと、重心の分散に基づいて、参照光角度および波長を制御するステップとを備える構成とする。【選択図】  図４
2016212940.tif 000002
【特許請求の範囲】
【請求項１】
信号光と参照光の干渉を利用して光情報記録媒体に記録された情報を再生するための参照光調整方法であって、
参照光の波長を変更するステップと、
前記光情報記録媒体に対し参照光角度を変更するステップと、
前記光情報記録媒体からの再生像の輝度分布を検出するステップと、
前記再生像の輝度分布の重心の分散を演算するステップと、
該重心の分散に基づいて、前記参照光角度および波長を制御するステップと、
を備えることを特徴とする参照光調整方法。
【請求項２】
請求項１に記載の参照光調整方法であって、
前記再生像の輝度分布は、前記参照光角度と略垂直方向の角度であるピッチ方向角度をずらすことにより輝度の高い線状部分である輝線を有することを特徴とする参照光調整方法。
【請求項３】
請求項２に記載の参照光調整方法であって、
前記輝度分布の重心の分散を演算するステップは、前記再生像を複数のＸ方向とそれに直交するＹ方向の小領域に分割し、各Ｘ方向要素のＹ方向１ライン領域毎の輝度分布の重心を求め、その重心のＹ方向の分散を演算することを特徴とする参照光調整方法。
【請求項４】
請求項３に記載の参照光調整方法であって、
前記波長を変更するステップにより所定の波長に設定し、
前記参照光角度を変更するステップにより参照光角度を複数の角度に変更し、前記輝度分布を検出するステップにより前記複数の角度に対応したそれぞれの再生像の輝度分布を検出し、
前記輝度分布の重心の分散を演算するステップにより前記それぞれの再生像の輝度分布の前記Ｙ方向の分散が最小値となる参照光角度と波長の組合せを決定し、
前記波長を変更するステップにより波長を変更して、前記分散が最小値となる参照光角度と波長の組合せを前記変更した波長それぞれに対して求め、該変更した波長それぞれに対して求めた前記分散が最小値となる参照光角度と波長の組合せの中で前記分散が最小値となる参照光角度と波長の組合せを決定することを特徴とする参照光調整方法。
【請求項５】
請求項４に記載の参照光調整方法であって、
前記輝度分布の重心の分散を演算するステップは、所定輝度以上での、前記複数の角度に対応したそれぞれの再生像の輝度分布の前記Ｙ方向の分散が最小値となる参照光角度と波長の組合せを決定することを特徴とする参照光調整方法。
【請求項６】
請求項４に記載の参照光調整方法であって、
前記波長を変更するステップにより波長を変更して前記分散が最小値となる参照光角度と波長の組合せを前記変更した波長それぞれに対して求めるステップを２つの波長で行い、その２つの波長に対して求めたそれぞれの前記分散が最小値となる参照光角度と波長の組合せから、参照光角度範囲を推定し、他の波長に変更した際の参照光角度の変更回数を減じて、変更した波長それぞれに対して求めた前記分散が最小値となる参照光角度と波長の組合せの中で前記分散が最小値となる参照光角度と波長の組合せを決定することを特徴とする参照光調整方法。
【請求項７】
請求項１に記載の参照光調整方法であって、
前記光情報記録媒体からの再生像の輝度分布を検出するステップは、前記参照光角度と波長の制御の前に前記光情報記録媒体からの表面反射の輝度分布を測定し、該表面反射の輝度分布を前記再生像の輝度分布から減算することを特徴とする参照光調整方法。
【請求項８】
信号光と参照光の干渉を利用して光情報記録媒体に記録された情報を再生する光情報再生装置であって、
前記光情報記録媒体に光を出射する光源と、
前記光源の出射光の波長を制御する光源制御部と、
前記光情報記録媒体に対する前記参照光の入射角度を制御する参照光角度制御部と、
前記光情報記録媒体からの再生像の輝度分布を検出する光検出器と、
前記再生像の輝度分布の重心の分散を演算する再生像処理部と、
該重心の分散に基づいて、前記参照光角度および波長を制御する制御部と、
を備えることを特徴とする光情報再生装置。
【発明の詳細な説明】
【技術分野】
【０００１】
本発明は、信号光と参照光の干渉を利用して光情報記録媒体に記録された情報を再生する光情報再生装置、及び、その参照光調整方法に関する。
【背景技術】
【０００２】
ホログラム記録技術は、空間光変調器により２次元的に変調されたページデータの情報を有する信号光を、光情報記録媒体の内部で参照光と重ね合わせ、その時に生じる干渉縞パターンによって光情報記録媒体内に屈折率変調を生じさせることで情報を光情報記録媒体に記録する技術である。情報の再生時には、記録時に用いた参照光を光情報記録媒体に照射すると、光情報記録媒体中に記録されているホログラムが回折格子のように作用して回折光を生じる。この回折光が記録した信号光と位相情報を含めて同一の光として再生される。再生された信号光は、ＣＭＯＳやＣＣＤなどの光検出器を用いて２次元的に高速に検出される。このようにホログラム記録技術は、１つのホログラムによって２次元的な情報を光情報記録媒体に記録、再生することを可能とし、さらに光情報記録媒体のある場所に複数のページデータを重ね書きすることで、大容量かつ高速な情報の記録再生を果たすことができる。
【０００３】
ホログラムの再生においては、光情報記録媒体が温度によって収縮・膨張すると回折格子として記録された格子の角度及び間隔が変化することにより再生光の信号品質が劣化する。これを補償するために光情報記録媒体に照射する参照光の入射角度及び波長を調整する必要がある。
【０００４】
本技術分野の背景技術として、特開２０１５−５６１９４号公報（特許文献１）がある。特許文献１には、光情報記録媒体に光を出射する光源と、前記光源の出射光の波長を制御する光源制御部と、前記光情報記録媒体に対する前記参照光の入射角度を制御する参照光角度制御部と、前記光情報記録媒体からの再生像または再生像の輝度分布を検出する光検出器と、前記光検出器の検出結果に基づいて前記再生像の輝線を検出し、前記輝線の検出結果を出力する再生像処理部と、前記再生像処理部の出力に基づいて、前記光源制御部を介して前記光源の出射光の波長を制御し、前記参照光角度制御部を介して前記参照光の入射角度を制御する制御部と、を備える構成が開示されている。
【先行技術文献】
【特許文献】
【０００５】
【特許文献１】特開２０１５−５６１９４号公報
【発明の概要】
【発明が解決しようとする課題】
【０００６】
特許文献１では、参照光の入射角度および光源の波長が最適な場合における再生像の輝線と、検出された再生像の輝線とがなす輝線間角度、または、それぞれの位置の差分である輝線位置誤差を検出し、その輝線間角度または輝線位置誤差に基づいて、参照光の入射角度および光源の波長を制御している。しかし、輝線部分は輝度の濃淡むらを生じており、また明暗があいまいであるので、輝線部分の輝度そのものを利用した場合に、本来の調整目標とずれが生じる可能性について考慮されていない。
【０００７】
本発明の目的は、輝線部分の輝度むら等の影響を受けにくい、参照光の入射角度および光源の波長を素早く調整するための調整指標を提供し、参照光の角度及び参照光の波長を短時間で調整可能な光情報再生装置及び参照光調整方法を提供することである。
【課題を解決するための手段】
【０００８】
上記課題を解決するために、例えば特許請求の範囲に記載の構成を採用する。本願は上記課題を解決する手段を複数含んでいるが、その一例を挙げるならば、信号光と参照光の干渉を利用して光情報記録媒体に記録された情報を再生するための参照光調整方法であって、参照光の波長を変更するステップと、光情報記録媒体に対し参照光角度を変更するステップと、光情報記録媒体からの再生像の輝度分布を検出するステップと、再生像の輝度分布の重心の分散を演算するステップと、重心の分散に基づいて、参照光角度および波長を制御するステップとを備える構成とする。
【発明の効果】
【０００９】
本発明によれば、輝線部分の輝度むら等の影響を受けにくい、参照光の入射角度および光源の波長を素早く調整するための調整指標を提供でき、参照光の角度及び参照光の波長を短時間で調整可能な光情報再生装置及び参照光調整方法を提供することができる。
【図面の簡単な説明】
【００１０】
【図１】ホログラム記録装置の記録動作を説明する図である。
【図２】ホログラム記録装置の再生動作を説明する図である。
【図３】実施例１における光検出器上の再生像を示した模式図である。
【図４】実施例１における参照光角度と波長を調整するための調整指標を説明するための図である。
【図５】実施例１における調整指標値の取得フローである。
【図６】実施例１における波長と参照光角度を振って測定した調整指標値と全体輝度の模式図である。
【図７】実施例１における、ある波長での参照光角度と全体輝度、調整指標値との関係をプロットした図である。
【図８】実施例１における、各波長での参照光角度を振ったときの最小調整指標値との関係をプロットした図である。
【図９】実施例２における、調整指標の測定回数を減らす必要性を説明するための図である。
【図１０】実施例２における、調整指標の測定回数を減らす手法を説明するための図である。
【図１１】実施例３における光情報記録媒体からの表面反射が光検出器上の再生像の輝度分布として見える場合を説明する図である。
【図１２】実施例３における光情報記録媒体からの表面反射の影響を無くすことができる輝度分布取得の処理フローである。
【発明を実施するための形態】
【００１１】
以下、本発明の実施例について図面を用いて説明する。
【実施例１】
【００１２】
図１及び図２は、ホログラム記録再生装置の基本構成の一例を示したものである。記録原理について図１を用いて説明する。
【００１３】
図１において、光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるように偏光方向が制御された後、ＰＢＳ（Ｐｏｌａｒｉｚａｔｉｏｎ  Ｂｅａｍ  Ｓｐｌｉｔｔｅｒ）プリズム３０５に入射する。
【００１４】
ＰＢＳプリズム３０５を透過した光ビームは、信号光３０６として働き、ビームエキスパンダ３０８によって光ビーム径が拡大された後、位相マスク３０９、リレーレンズ３１０、ＰＢＳプリズム３１１を透過して空間変調器３１２に入射する。
【００１５】
空間変調器３１２によって情報が付加された信号光は、ＰＢＳプリズム３１１を反射し、リレーレンズ３１３ならびに空間フィルタ３１４を伝播する。その後、信号光は対物レンズ３１５によって光情報記録媒体１に集光する。
【００１６】
一方、ＰＢＳプリズム３０５を反射した光ビームは参照光３０７として働き、偏光方向変換素子３１６によって記録時または再生時に応じて所定の偏光方向に設定された後、ミラー３１７ならびにミラー３１８を経由してガルバノミラー３１９に入射する。ガルバノミラー３１９はアクチュエータ３２０によって角度を調整可能のため、レンズ３２１とレンズ３２２を通過した後に光情報記録媒体１に入射する参照光の入射角度を、所望の角度に設定することができる。
【００１７】
このように信号光と参照光とを光情報記録媒体１において互いに重ね合うように入射させることで、光情報記録媒体内には干渉縞パターンが形成され、このパターンを光情報記録媒体に書き込むことで情報を記録する。また、ガルバノミラー３１９によって光情報記録媒体１に入射する参照光の入射角度を変化させることができるため、角度多重による記録が可能である。なお、角度多重する方向の角度をブラッグ方向角度、ブラッグ方向角度に略垂直方向の角度をピッチ方向角度と呼ぶが、ブラッグ方向角度を以降簡略化して参照光角度と称する。また、同じ領域に参照光角度を変えて記録されたホログラムにおいて、１つ１つの参照光角度に対応したホログラムをページと呼び、同領域に角度多重されたページの集合をブックと呼ぶ。
【００１８】
次に、図２を用いて再生原理を示す。記録した情報を再生する場合は、前述したように参照光を光情報記録媒体１に入射し、光情報記録媒体１を透過した光ビームを、アクチュエータ３２３によって角度調整可能なガルバノミラー３２４にて反射させることで、その再生用参照光を生成する。
【００１９】
この再生用参照光によって再生された再生光は、対物レンズ３１５、リレーレンズ３１３ならびに空間フィルタ３１４を伝播する。その後、再生光はＰＢＳプリズム３１１を透過して光検出器３２５に入射し、光検出器によって検出した信号は、図示しない信号処理部によって記録した信号を再生することができる。また、光検出器の出力は図示しない再生像処理部にも入力され、光検出器上の再生像または再生像の輝度分布に対応した処理結果を図示しない制御部に出力し、制御部は光情報記録再生装置の全体を制御する。光検出器３２５としては例えばＣＭＯＳイメージセンサーやＣＣＤイメージセンサーなどの撮像素子を用いることができるが、ページデータを再生可能であれば、どのような素子であっても構わない。
【００２０】
前述したようにホログラムの再生においては、光情報記録媒体が温度によって収縮・膨張すると再生される信号光の品質が劣化する。また、ホログラフィの角度多重の原理を利用した記録技術は、参照光角度のずれに対する許容誤差が極めて小さく、ディスク回転モータやピックアップ等の機構の取り付け誤差による光情報記録媒体に照射する参照光の角度のずれが信号光の品質に大きく影響する。このため、再生時には光情報記録媒体の記録時との温度のずれや装置毎の機構の取り付け誤差等に対して光情報記録媒体に照射する参照光の角度及び参照光の波長を調整する必要がある。なお、図示しないが、光源制御部を介して光源の波長を調整する構成となっている。
【００２１】
次に、本実施例の前提となる、ホログラムの再生像の特性について説明する。図３は、光検出器３２５上の再生像を示した模式図である。これは、再生対象となる記録データに応じた明暗となる点が円形に集まった様子を示している。本来、参照光角度と波長の組合せが最適な場合は、その再生像は輝度むらがなく明暗が明瞭な状態で再生され、図３（Ｂ）ｂのようになる。図３（Ｂ）ａ、ｃは、参照光角度と波長の組合せがずれた状態であって、輝度むらがあり明暗が不明瞭な状態となる。図３（Ａ）は、再生像の輝度と参照光角度及び参照光波長の関係の一例を等高線で表した模式図である。図３（Ａ）において、等高線で囲まれた内側ほど再生像の輝度が高いことを示している。従って、再生像の輝度を最大とするには参照光角度と参照光波長の最適な組合せが存在することが分かる。図３（Ｂ）のａ、ｂ、ｃは図３（Ａ）のａ、ｂ、ｃでの参照光角度と参照光波長の組合せに対応している。また、図３（Ｂ）において、参照光角度と略垂直方向の角度であるピッチ方向角度をずらすと、図３（Ｃ）のように輝度が高い部分が線状になる。この輝度の高い線状部分４００を以降、輝線と呼ぶ。参照光角度と波長の組合せが再生に最適な状態であると、輝線は水平になる関係性がある。本実施例では、この関係を利用し輝線を水平にすることで、最適な画像の参照光角度と波長を求める。
【００２２】
本実施例では、輝線が水平に対してどの程度傾いているかを数値化して、それを参照光角度と波長を調整するための調整指標とする。その具体的な方法について図４を用いて説明する。まず、図４（Ａ）に示すように、小領域に区画分けした光検出器上の再生像の輝度の分布状態を利用する。例えば、Ｘ方向とＹ方向で８×８に分割した小領域を例に説明する。図４（Ｂ）は、輝線が水平に対して大きく傾いているような、（１）に示すような光検出器上の再生像の輝度イメージの場合、８×８の小領域ごとの輝度をプロットすると図（２）となる。（２）は、再生像の輝度を等高線で表した模式図である。等高線で囲まれた内側ほど再生像の輝度が高いことを示している。そして、Ｙ方向の輝度をＸ方向の要素毎にプロットした図を（３）に示す。図４（Ｂ）（３）の場合は、各Ｘ要素の輝度はＹ方向にばらついているのが分かる。図４（Ｃ）は、（Ｂ）よりも輝線の傾きが小さい場合の、再生像の輝度イメージ（１）、輝度分布（２）、Ｙ方向の輝度をＸ要素毎にプロットした図（３）を示している。図４（Ｃ）（３）の場合は、各Ｘ要素の輝度のＹ方向のばらつきは、（Ｂ）に比べて小さくなっているのが分かる。そして、図４（Ｄ）は、輝線がほぼ水平の場合の、再生像の輝度イメージ（１）、輝度分布（２）、Ｙ方向の輝度をＸ要素毎にプロットした図（３）を示している。図４（Ｄ）（３）の場合は、各Ｘ要素の輝度のＹ方向のプロットした線はほぼ重なりばらつきがほぼないことが分かる。このように、輝線が水平に近づくにつれてプロットした線が重なり、ばらつきがなくなる。 この関係から、調整に用いる指標として、各Ｘ方向要素毎のＹ方向１ライン領域毎の輝度分布の重心を求め、その重心のＹ方向の分散を調整指標とした。分散計算では、本来、全重心の平均値を使用するが、本調整では、輝線を画面の中心に水平にすることが目的のため、平均値ではなく、画像中心が重心となる値とした。
即ち、調整指標は下記（１）式とした。
【００２３】
【数１】
2016212940.tif 000003
【００２４】
すなわち、本実施例では、Ｙ方向を８分割しているので、Ｙ方向の中点の４．５を目標値とし、これを画像中心が重心となる値とした。また、Ｙ方向１ライン領域毎の輝度分布の重心は、例えば、Ｙ方向１ラインのそれぞれの小領域の輝度値にＹ方向の位置に対応した重み付けを行いそれを加算した重み付き輝度合計値をＹ方向１ラインのそれぞれの小領域の輝度合計値で割った値とした。なお、以上の計算は一例であって、種々の変形例が考えられる。例えば、画像中心が重心となる値として、４，５ではなく、Ｙ方向の中点を０として、重心を求めるようにしても良いし、２乗せずに絶対値をとっても良いし、ｎ分の１で平均をとっても良い。すなわち、図４の（３）に示したように、輝度のＸ方向要素毎のＹ方向の輝度分布が重なりあう程度を調整指標とすればよく、その具体的な計算は問わない。この設定された調整指標がより小さくなるように、すなわち、重なり程度が大きくばらつきがなくなるように調整することで、最適な参照光角度と波長を調整することができる。
【００２５】
次に、本実施例における調整指標値の取得フローを図５に示す。図５に示すように波長設定、参照光角度設定、輝度測定を繰り返し、算出した調整指標が最小(輝線が水平)となる、波長、参照光角度の組合せを探索する。すなわち、図５において、Ｓ１０１で、ある波長を設定し、Ｓ１０３で参照光角度設定、Ｓ１０４で輝度測定を行い、Ｓ１０５で調整指標を算出し、それを繰り返し、Ｓ１０６で、ある波長に対する参照光角度で算出した調整指標が最小(輝線が水平)となる、波長、参照光角度の組合せを決定する。それを所定波長分繰り返す。そして、Ｓ１０７で、Ｓ１０６で検出したそれぞれの波長での最小指標値の中での最小値を検出する。
【００２６】
図６は、波長と参照光角度を振って測定した、調整指標値（Ａ）と全体輝度（Ｂ）の模式図を示している。調整指標値（Ａ）は、調整指標値を等高線で表した模式図であり、ライン２に沿った白い部分が調整指標値が小さい部分である。また、全体輝度（Ｂ）は、前述した図３（Ａ）と同様に、再生像の輝度と参照光角度及び参照光波長の関係を等高線で表した模式図であり、等高線で囲まれた内側ほど再生像の輝度が高いことを示している。すなわち、ライン２に沿った部分が輝度が高い部分である。
【００２７】
図７は図６のライン１に沿って、ある波長での参照光角度と全体輝度、調整指標値との関係をプロットした図であり、図５のＳ１０３からＳ１０６での処理に相当する。黒三角のマークが全体輝度、黒四角のマークが調整指標値を示しており、全体輝度が高い領域（ｂ）と、低い領域（ａ、ｃ）でそれぞれ調整指標値が低くなっている（点線の丸で囲った部分）。このように、調整指標値が最小となる点を探索する必要があるが、全体輝度が低い領域でも指標値が低くなるため、これらの区別が必要となる。そこで、本実施例では、全体輝度が高い領域での、調整指標の最小値を検出するようにした。具体的には、全体輝度が閾値より大となる領域ｂで、調整指標値が最小となる測定点を検出するようにする。すなわち、閾値ｔｈは、下記式（２）で求める。
【００２８】
th ＝ (Max-Min)×k ＋ Min       …（２）
ここで、Maxは輝度の最高値、Minは輝度の最小値、ｋは係数である。
【００２９】
図６のライン１での検出を波長ごとに繰り返すことで得た、ライン２上の調整指標値を図８に示す。すなわち、各波長での参照光角度を振ったときの最小調整指標値との関係をプロットした図である。図８において、調整指標値の最小値が最終的に求める調整指標値となる（点線のまるで囲った部分）。すなわち、図５のＳ１０７での処理に相当し、この求めた調整指標値から最適な参照光角度と波長を求めることができる。
【００３０】
なお、この調整は、光情報記録媒体を光情報再生装置に装着するごとに再生前に実施する。また、温度が大きく変化した場合や、再生データが読めなくなった場合に実施しても良い。また、温度変化に対しては、温度に対応した係数で補正しても良い。
【００３１】
また、本実施例で説明した、小領域の区画分けは８×８に限定されるものではない。
【００３２】
以上のように、本実施例は、信号光と参照光の干渉を利用して光情報記録媒体に記録された情報を再生するための参照光調整方法であって、参照光の波長を変更するステップと、光情報記録媒体に対し参照光角度を変更するステップと、光情報記録媒体からの再生像の輝度分布を検出するステップと、再生像の輝度分布の重心の分散を演算するステップと、重心の分散に基づいて、参照光角度および波長を制御するステップとを備える構成とする。
【００３３】
また、信号光と参照光の干渉を利用して光情報記録媒体に記録された情報を再生する光情報再生装置であって、光情報記録媒体に光を出射する光源と、光源の出射光の波長を制御する光源制御部と、光情報記録媒体に対する参照光の入射角度を制御する参照光角度制御部と、光情報記録媒体からの再生像の輝度分布を検出する光検出器と、再生像の輝度分布の重心の分散を演算する再生像処理部と、重心の分散に基づいて、参照光角度および波長を制御する制御部と、を備える構成とする。
【００３４】
よって、本実施例によれば、輝線部分の輝度むら等の影響を受けにくい、参照光の入射角度および光源の波長を素早く調整するための調整指標を提供でき、参照光の角度及び参照光の波長を短時間で調整可能な光情報再生装置及び参照光調整方法を提供することができる。
【実施例２】
【００３５】
実施例１では、図９（Ａ）のようにライン２上での調整指標値の値を得るために、図９（Ｂ）のように、波長をいくつか変えながら参照光角度を振り図６のライン１での測定をする必要があるが、前述のように輝度が低い領域での測定結果は不要である。そこで、本実施例では、不要な測定を減らすことで、調整にかかる時間を短縮する方法について説明する。
【００３６】
図１０（Ａ）の （１）、（５）に示す波長での参照光角度を振って測定して検出した調整指標最小値となる、波長 、参照光角度の２点（５０１、５０５）を通る直線を求める。 最終的に得たいライン２は、ほぼこの直線の近辺にあると予想できるので、残りの波長での（２）〜（４）の測定では、ライン２との交点を中心とした狭い参照光角度範囲の測定で、調整指標最小値を得る事ができる。すなわち、波長可変範囲の小さい波長と、大きい波長での２点において、図１０（Ｂ）の（１）、（５）に示すように、参照光角度をフルに振って調整指標値の値を得、それぞれの最小調整指標値の参照光角度から、図１０（Ａ）の２点（５０１、５０５）をもとめ、その２点を通る直線の近傍のみで参照光角度範囲で残りの波長での（２）〜（４）の測定を行う。
【００３７】
これにより、本実施例によれば、調整指標値を得ることが可能な 参照光角度範囲を予測し、測定回数を削減することができる。
【実施例３】
【００３８】
光情報記録媒体からの表面反射により、光検出器上の再生像の輝度分布に影響を与える場合があるのでその対応について説明する。
【００３９】
図１１は光検出器上の再生像の輝度分布を示しているが、光情報記録媒体からの表面反射６００が、実際の輝度分布のように見える場合がある。また、この表面反射は、参照光角度に依存して、その位置が６０１に示すように移動する。よって、調整指標の精度を改善するため、この表面反射の影響を無くす手段が必要である。  
そこで、図１２のように、参照光角度と波長の調整の前に、表面反射のみの輝度分布を測定しておき、その分を調整時の輝度分布測定時に減算するようにした。すなわち、Ｓ３０１で何も画像が記録されていない位置に移動して、Ｓ３０２からＳ３０４で、調整の測定時に使用する参照光角度を振って、全画面の輝度分布を測定する。その後、Ｓ３０５で調整用の位置に移動して、Ｓ３０６、Ｓ３０７で、調整のための輝度分布を測定し、Ｓ３０８で、その輝度分布からＳ３０３で求めた表面反射による輝度分布を減算することで、表面反射の影響を無くすことができる。
【００４０】
本発明は上記した実施例に限定されるものではなく、様々な変形例が含まれる。また、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４１】
１…光情報記録媒体、３０１…光源、３０２…コリメートレンズ、３０３…シャッタ、３０４…光学素子、３０５…ＰＢＳプリズム、３０６…信号光、３０７…参照光、３０８…ビームエキスパンダ、３０９…位相マスク、３１０…リレーレンズ、３１１…ＰＢＳプリズム、３１２…空間変調器、３１３…リレーレンズ、３１４…空間フィルタ、３１５…対物レンズ、３１６…偏光方向変換素子、３１７、３１８…ミラー、３１９…ガルバノミラー、３２０…アクチュエータ、３２１、３２２…レンズ、３２３…アクチュエータ、３２４…ガルバノミラー、３２５…光検出器、４００…輝線、６００…表面反射
【図１】
2016212940.tif 000004
【図２】
2016212940.tif 000005
【図３】
2016212940.tif 000006
【図４】
2016212940.tif 000007
【図５】
2016212940.tif 000008
【図６】
2016212940.tif 000009
【図７】
2016212940.tif 000010
【図８】
2016212940.tif 000011
【図９】
2016212940.tif 000012
【図１０】
2016212940.tif 000013
【図１１】
2016212940.tif 000014
【図１２】
2016212940.tif 000015